(57)【特許請求の範囲】
【請求項１】
本体と、該本体内に挿入されると共に回転により前後方向に移動可能な断面略円形の軸部材と、該軸部材の一端に取付けられると共に前記軸部材の長手方向に対して垂直方向の長さが前記軸部材の外径よりも長いつまみ部材とを有する薬剤定量注入器が嵌合して、薬剤の定量注入を補助する薬剤定量注入単位合わせ補助具において、
前記軸部材が嵌合すると共に、前記つまみ部材及び前記本体それぞれの、前記軸部材の長手方向に対して垂直方向の長さよりも小さい間隙を有する凹部がそれぞれ形成された複数の支持構成体によって構成された支持部材を備え、
前記支持構成体は、前記凹部が連続すると共に着脱可能に互いに連結された
ことを特徴とする薬剤定量注入単位合わせ補助具。
【請求項２】
前記支持構成体の少なくとも一つは、前記凹部が形成された第１の領域と、該第１の領域に対して略垂直な第２の領域とを備える
ことを特徴とする請求項１に記載の薬剤定量注入単位合わせ補助具。
【請求項３】
前記支持構成体は、互いに略同じ厚みを有すると共に互いに異なる色を有する
ことを特徴とする請求項１に記載の薬剤定量注入単位合わせ補助具。
【請求項４】
本体と、該本体内に挿入されると共に回転により前後方向に移動可能な断面略円形の軸部材と、該軸部材の一端に取付けられると共に前記軸部材の長手方向に対して垂直方向の長さが前記軸部材の外径よりも長いつまみ部材とを有する薬剤定量注入器による薬剤の注入量を調整する薬剤注入量調整方法において、
前記軸部材が嵌合すると共に、前記つまみ部材及び前記本体それぞれの、前記軸部材の長手方向に対して垂直方向の長さよりも小さい間隙を有する凹部がそれぞれ形成され、該凹部が連続すると共に着脱可能に互いに連結された複数の支持構成体によって構成された支持部材を備える薬剤定量注入単位合わせ補助具の前記凹部に、前記薬剤定量注入器の前記軸部材を嵌合する嵌合工程と、
前記軸部材を回転させて、前記本体及び前記つまみ部材に前記支持構成体を当接させる調整工程とを有する
ことを特徴とする薬剤注入量調整方法。
【請求項５】
前記支持構成体の少なくとも一つは、前記凹部が形成された第１の領域と、該第１の領域に対して略垂直な第２の領域とを備え、
該第２の領域を載置する
ことを特徴とする請求項４に記載の薬剤注入量調整方法。
【発明の詳細な説明】
【技術分野】
【０００１】
本発明は薬剤定量注入単位合わせ補助具及び薬剤注入量調整方法に関する。詳しくは、薬剤定量注入器が嵌合されて、薬剤の定量注入を補助する薬剤定量注入単位合わせ補助具及び、薬剤定量注入器による薬剤の注入量を調整する薬剤注入量調整方法に係るものである。
【背景技術】
【０００２】
糖尿病患者は、脳血管障害や壊疽、転倒等による骨折、そして体の片側の麻痺等によって片手しか使えない状態となっている場合もある。このように片手しか使えない患者のために、インスリンを患者自身で皮下注入するための補助具が要求されている。
【０００３】
このような補助具は幾つか提案されており、例えば特許文献１には、図４に示すようなインスリン注入器用補助具が記載されている。即ち、特許文献１に記載のインスリン注入器用補助具１０１は、ペン型のインスリン注入器１０６の針ケースを固定する針ケース固定装置１０２と、インスリン注入器１０６の針キャップを固定する針キャップ固定装置１０３を有する。また、特許文献１には、このようなインスリン注入器用補助具の使用方法として、インスリン注入器用補助具１０１を机に固定し、次に、インスリン注入器用補助具１０１に針ケース１０４を設置し、インスリン注入器１０６と、針ケース１０４中の注射針を接続し、インスリン注入器用補助具１０１に固定された針ケース１０４から、針キャップ付き注射針が接続されたインスリン注入器１０６を離し、そして、このインスリン注入器１０６の針キャップを針キャップ固定装置１０３に固定して針キャップを外す方法が記載されている。
【０００４】
【特許文献１】特開２００７−１４６１５号公報
【発明の開示】
【発明が解決しようとする課題】
【０００５】
ところで、糖尿病患者は、決められた量のインスリンを皮下注射するが、そのインスリンの量は症状及び検査所見に応じて適量増減する。
そこで、各患者や症状に応じたインスリン量を注入できるペン型のインスリン注入器として、図２に示すようなペン型のインスリン注入器がある。
即ち、図２に示すように、ペン型のインスリン注入器２１は、ダイアル表示用開口部２３が形成された本体２２と、本体２２の一端から本体２２内に挿入されると共にダイアル２５が表示されて回転により前後方向に移動可能な断面略円形の軸部材２４と、軸部材の一端に取付けられていると共に軸部材の長手方向に対して垂直方向の長さが軸部材の外径よりも長いつまみ部材２６と、つまみ部材に取付けられたインスリンを注入するための注入ボタン２７と、本体の他端に取付けられていると共に、インスリンが充填されたインスリンカートリッジ２８Ａが収められた収納体２８と、注射針３０が取付けられる注射針取付部２９とを備える。
【０００６】
また、このようなダイアルの目盛りの増減に応じて、注入されるインスリンの量が増減する方式のインスリン注入器は、通常の糖尿病患者の場合はよいが、次のような場合には不都合が生じる。即ち、糖尿病患者全体の１０〜２０％の患者は視力低下があり、ダイアルを回動させて自分が希望する目盛りに合わせることが困難である。また、目盛りが見えなければ、インスリンを自分で注入することができず、他人にインスリンを注入してもらわなければならない。そこで、他人に注入してもらおうとしても、患者以外でインスリンを注入することが法律で認められているのは、医師と看護師だけであり、医師と看護師を自宅に呼んでインスリンを注入してもらうと、医療費の支払い義務が発生してしまい、注入回数の増加が医療費増加を引き起こすという問題があった。
【０００７】
本発明は、以上の点に鑑みて創案されたものであり、視力低下の糖尿病患者でも、必要な一定量の薬剤を自己注入できる薬剤定量注入単位合わせ補助具及び、薬剤定量注入単位合わせ補助具を用いた薬剤注入量調整方法を提供することを目的とする。
【課題を解決するための手段】
【０００８】
上記の目的を達成するために、本発明の薬剤定量注入単位合わせ補助具は、本体と、該本体内に挿入されると共に回転により前後方向に移動可能な断面略円形の軸部材と、該軸部材の一端に取付けられると共に前記軸部材の長手方向に対して垂直方向の長さが前記軸部材の外径よりも長いつまみ部材とを有する薬剤定量注入器が嵌合して、薬剤の定量注入を補助する薬剤定量注入単位合わせ補助具において、前記軸部材が嵌合すると共に、前記つまみ部材及び前記本体それぞれの、前記軸部材の長手方向に対して垂直方向の長さよりも小さい間隙を有する凹部がそれぞれ形成された複数の支持構成体によって構成された支持部材を備え、前記支持構成体は、前記凹部が連続すると共に着脱可能に互いに連結されたことを特徴とする。
【０００９】
ここで、軸部材が嵌合すると共に、つまみ部材及び本体それぞれの、軸部材の長手方向に対して垂直方向の長さよりも小さい間隙を有する凹部がそれぞれ形成された複数の支持構成体によって構成された支持部材によって、つまみ部材及び本体に支持部材を当接させることができる。
また、支持構成体は、凹部が連続すると共に着脱可能に互いに連結されることによって、支持構成体の枚数を増減させることができる。
【００１０】
また、本発明の薬剤定量注入単位合わせ補助具において、支持構成体の少なくとも一つは、凹部が形成された第１の領域と、第１の領域に対して略垂直な第２の領域とを備える場合、机や台等に支持部材を置いて、薬剤定量注入器の軸部材を凹部に嵌合することができる。
【００１１】
また、本発明の薬剤定量注入単位合わせ補助具において、支持構成体は、互いに略同じ厚みを有すると共に互いに異なる色を有する場合、略同じ厚みであるため支持構成体の数と薬剤の注入量を対応させやすくなり、異なる色であるため支持構成体の数を把握しやすくなる。
【００１２】
また、上記の目的を達成するために、本発明の薬剤注入量調整方法は、本体と、該本体内に挿入されると共に回転により前後方向に移動可能な断面略円形の軸部材と、該軸部材の一端に取付けられると共に前記軸部材の長手方向に対して垂直方向の長さが前記軸部材の外径よりも長いつまみ部材とを有する薬剤定量注入器による薬剤の注入量を調整する薬剤注入量調整方法において、前記軸部材が嵌合すると共に、前記つまみ部材及び前記本体それぞれの、前記軸部材の長手方向に対して垂直方向の長さよりも小さい間隙を有する凹部がそれぞれ形成され、該凹部が連続すると共に着脱可能に互いに連結された複数の支持構成体によって構成された支持部材を備える薬剤定量注入単位合わせ補助具の前記凹部に、前記薬剤定量注入器の前記軸部材を嵌合する嵌合工程と、前記軸部材を回転させて、前記本体及び前記つまみ部材に前記支持構成体を当接させる調整工程とを有することを特徴とする。
【発明の効果】
【００１３】
本発明に係る薬剤定量注入単位合わせ補助具によって、視力低下の糖尿病患者でも、必要な一定量の薬剤を自己注入できる。
【００１４】
本発明に係る薬剤注入量調整方法によって、視力低下の糖尿病患者でも、必要な一定量の薬剤を調整して自己注入できる。
【発明を実施するための最良の形態】
【００１５】
以下、本発明の実施の形態について図面を参照しながら説明し、本発明の理解に供する。
図１は、本発明を適用した薬剤定量注入単位合わせ補助具の一例を示す概略図である。図１において、本発明の薬剤定量注入単位合わせ補助具１は、図２に示すようなペン型のインスリン注入器２１の軸部材２４が嵌合すると共に、つまみ部材２６及び本体２２それぞれの、軸部材２４の長手方向に対して垂直方向の長さよりも小さい間隙を有する凹部３がそれぞれ形成された複数の支持構成体２Ａによって構成された支持部材２を備え、支持構成体２Ａは、凹部３が連続すると共に磁石６によって着脱可能に互いに連結される。
また、支持構成体２Ａの一つは、凹部３が形成された第１の領域４と、第１の領域に対して略垂直な第２の領域５とを備える。
また、支持構成体２Ａは、互いに略同じ厚みを有すると共に互いに異なる色を有する。
【００１６】
ここで、薬剤定量注入単位合わせ補助具が、軸部材が嵌合すると共に、軸部材の長手方向に対して垂直方向のつまみ部材及び本体それぞれの長さよりも小さい間隙を有する凹部がそれぞれ形成された複数の支持構成体によって構成された支持部材を備え、支持構成体は、凹部が連続すると共に着脱可能に互いに連結されるのであれば、必ずしも支持構成体の一つは、凹部が形成された第１の領域と、第１の領域に対して略垂直な第２の領域とを備えていなくてもよく、また、必ずしも支持構成体は、互いに略同じ厚みを有すると共に互いに異なる色を有していなくてもよい。
また、薬剤定量注入単位合わせ補助具が、軸部材が嵌合すると共に、つまみ部材及び本体それぞれの、軸部材の長手方向に対して垂直方向の長さよりも小さい間隙を有する凹部がそれぞれ形成された複数の支持構成体によって構成された支持部材を備え、支持構成体は、凹部が連続すると共に着脱可能に互いに連結されるのであれば、必ずしも支持構成体は磁石によって着脱可能に互いに連結されていなくてもよく、例えば接着剤や面ファスナーによって着脱可能に互いに連結されていてもよい。
【００１７】
図３は、本発明の薬剤定量注入単位合わせ補助具を使用して薬剤の注入量を調整する薬剤注入量調整方法の一例を説明する概略図である。
先ず、インスリン注入器２１のつまみ部材２６を右回転させて、軸部材２４を本体２２とは反対方向（後方向）へ移動させる。
次に、軸部材２４を、薬剤定量注入単位合わせ補助具１の支持構成体２Ａに形成された凹部に嵌合し、つまみ部材２６を回転方向７へ左回転させて、軸部材２４を本体２２へ向かう方向（前方向）へ移動させる（図３（ａ）参照。）。
そして、本体２２及びつまみ部材２６に支持構成体２Ａが当接するまで、つまみ部材２６を回転方向７へ左回転させて軸部材２４を前方向へ移動させ（図３（ｂ）参照。）、この状態でのダイアル２５の表示が薬剤の注入量である。即ち、図３（ａ）に示すインスリン注入器２１の状態では、ダイアル２５の表示は１７単位であるが、図３（ｂ）に示すインスリン注入器２１の状態では、ダイアル２５の表示は９単位であり、支持構成体２Ａに本体２２とつまみ部材２６とを当接させるだけで、注入量を調整できる。
【００１８】
このように、本発明の薬剤定量注入単位合わせ補助具は、軸部材が嵌合すると共に、つまみ部材及び本体それぞれの、軸部材の長手方向に対して垂直方向の長さよりも小さい間隙を有する凹部がそれぞれ形成された複数の支持構成体によって構成された支持部材を備えるので、つまみ部材及び本体に支持部材を当接させることができ、また、支持構成体は、凹部が連続すると共に着脱可能に互いに連結されるので、支持構成体の枚数を増減させることができ、よって、薬剤定量注入器のつまみ部材と本体とが支持部材に当接して、これ以上軸部材が本体内へ向かって移動しない位置が注入量であると決定できるため、視力低下の糖尿病患者でも、必要な一定量の薬剤を自己注入できる。
【００１９】
また、支持構成体の少なくとも一つは、凹部が形成された第１の領域と、第１の領域に対して略垂直な第２の領域とを備えるので、机や台等に支持部材を置いて、薬剤定量注入器の軸部材を凹部に嵌合することができ、手に力が入りにくい患者でも楽に注入量を調整することができる。
【００２０】
また、支持構成体は、互いに略同じ厚みを有すると共に互いに異なる色を有するので、略同じ厚みであるため支持構成体の数と薬剤の注入量を対応させやすくなり、異なる色であるため支持構成体の数を把握しやすくなる。
【図面の簡単な説明】
【００２１】
【図１】本発明を適用した薬剤定量注入単位合わせ補助具の一例を示す概略図である。
【図２】ペン型のインスリン注入器の概略図である。
【図３】本発明の薬剤定量注入単位合わせ補助具を使用して薬剤の注入量を調整する薬剤注入量調整方法の一例を説明する概略図である。
【図４】従来のインスリン注入器用補助具を示す概略図である。
【符号の説明】
【００２２】
１    薬剤定量注入単位合わせ補助具
２    支持部材
２Ａ  支持構成体
３    凹部
４    第１の領域
５    第２の領域
６    磁石
７    回転方向
２１    インスリン注入器
２２    本体
２３    ダイアル表示用開口部
２４    軸部材
２５    ダイアル
２６    つまみ部材
２７    注入ボタン
２８    収納体
２８Ａ  インスリンカートリッジ
２９    注射針取付部
３０    注射針
【図１】
0004347897.tif 000002
【図２】
0004347897.tif 000003
【図３】
0004347897.tif 000004
【図４】
0004347897.tif 000005